(57)【要約】【課題】作業環境に拘わらず、高電圧でも低電圧でも確実にケーブルが、活線か死線かを作業者等に報知できる活線警報器を提供すること。【解決手段】検出対象のワイヤを弾性的に把持するワイヤ把持アーム３ａ、３ｂに、ワイヤが活線か否かを検出するための検出ユニット１３を設け、柄アーム４ａ、４ｂに、検出ユニット１３から電気的に接続され光により報知する報知手段２２を設ける。【選択図】  図１
2005037200.tif 000002
【特許請求の範囲】
【請求項１】
先端部に検査対象のワイヤの絶縁被膜を弾性的に着脱自在に把持する把持部が形成された一対のワイヤ把持アームと、この把持アームとそれぞれが一体に形成され、所定の力を加えることによって支点を介して前記把持部を開方向に回動させる一対の柄アームとを具備した活線警報器であって、
前記ワイヤ把持アームには、該ワイヤが活線か否かを検出するための検出ユニットが設けられ、前記柄アームには前記検出ユニットから電気的に接続され光により報知する報知手段が設けられていることを特徴とする活線警報器。
【請求項２】
前記検出ユニットと、この検出ユニットに接続された報知手段は２系等が併置して設けられていることを特徴とする請求項１記載の活線警報器。
【請求項３】
前記報知手段は、高輝度ＬＥＤを点滅することによる報知していることを特徴とする請求項１記載の活線警報器。
【発明の詳細な説明】
【０００１】
【発明の属する技術分野】
本発明は、電源と接続されて絶縁被膜されているワイヤの死活状態を、作業者等に常に正確に報知することができる活線警報器に関する。
【０００２】
【従来の技術】
例えば、高圧送電線の作業では、従事する作業員が、高電圧の送電線に接触したり異常に接近することにより、感電したり怪我をする事故は少なくない。このような、事故を未然に防止するために、作業員が送電中の高電圧線、すなわち活線に接近したときに自動的に警報音を発して危険であることを知らせる活線警報器を携行することが行われている。この種の活線警報器としては、この警報器を装着した作業者が高圧活線（ＡＣ６６００Ｖ）に接近した場合、この高圧活線から発生する電界を検出して、感知距離に近づくと警報音を発して注意を促し、感電事故等を未然に防止するようにしているものが多い。
【０００３】
それらの活線警報器の作業者の使用態様は、作業用ヘルメットに内装して使用したり（例えば、特許文献１を参照）、着衣に取付けたり（例えば、特許文献２を参照）、コンパクトな大きさにして作業者が携帯する（例えば、特許文献３を参照）ようにしている。
【０００４】
【特許文献１】
特開２００２−２６０１２０号公報  （段落番号００１０〜００１１）
【０００５】
【特許文献２】
特開平１１−２６２１２５号公報  （段落番号００１２）
【０００６】
【特許文献３】
実開平７−２３２８５号公報  （段落番号００１３）
【０００７】
【発明が解決しようとする課題】
上述のように、活線警報器を作業者の作業用ヘルメットに内装して使用したり、着衣に取付けたりしたものでは、活線警報器が金属箔を電磁界検出器としているため、作業者の接近角度、例えば、高圧活線の下方から作業者が接近した場合と、高圧活線の側方から接近した場合での感知距離に差が生じる問題があった。
【０００８】
また、作業者が身に着けたり、携帯して使用するものなので、着用者自身が、活線部分に近づいた時のみ動作する。このため活線に気付くのが遅れ、警報が動作しても間に合わない事態も考えられる。
【０００９】
また、警報発生手段は、音による通報方式が殆んどであり、騒音の大きい現場等での作業では、作業者が警報音を聞き逃す恐れがある。
【００１０】
また、通常、活線警報器は、１台のみのを用いる構成であるので、万一、作業中に電池が切れたり、故障した場合は、作業者が故障に気付かず思わぬ事故を招きかねない。
【００１１】
また、活線警報器は高電圧（ＡＣ６６００Ｖ）でのみ動作するものが殆どであるので、使用できる範囲が狭く、低電圧の電気作業が多い業種等では使用することが出来ない。
【００１２】
本発明は、これらの事情にもとづいてなされたもので、作業環境に拘わらず、高電圧でも低電圧でも確実にケーブルが、活線か死線かを作業者等に報知できる活線警報器を提供することを目的としている。
【００１３】
【課題を解決するための手段】
本発明によれば、先端部に検査対象のワイヤの絶縁被膜を弾性的に着脱自在に把持する把持部が形成された一対のワイヤ把持アームと、この把持アームとそれぞれが一体に形成され、所定の力を加えることによって支点を介して前記把持部を開方向に回動させる一対の柄アームとを具備した活線警報器であって、
前記ワイヤ把持アームには、該ワイヤが活線か否かを検出するための検出ユニットが設けられ、前記柄アームには前記検出ユニットから電気的に接続され光により報知する報知手段が設けられていることを特徴とする活線警報器である。
【００１４】
また本発明によれば、前記検出ユニットと、この検出ユニットに接続された報知手段は２系等が併置して設けられていることを特徴とする活線警報器である。
【００１５】
また本発明によれば、前記報知手段は、高輝度ＬＥＤを点滅することによる報知していることを特徴とする活線警報器である。
【００１６】
【発明の実施の形態】
以下、本発明の実施の形態を図面を参照して説明する。
【００１７】
本発明の基本的な考え方は、高電圧であっても低電圧であっても、電源と接続されているワイヤの電気的な死活状態を検出して報知するもので、従来のように、作業者等の人間側に検出手段を付帯させて検出するものではなく、電源と接続されているワイヤ自体に着脱自在に検知手段を取付けることにより、取付け位置でのワイヤの死活状態を光により表示し、作業者等に報知するものである。したがって、作業者のワイヤに対する位置や姿勢等に拘わらず、常にワイヤの電気的な死活状態を目視による確認することができる。
【００１８】
図１は、本発明の活線警報器の実施の形態の一例を示す外観図であり、図２は、ワイヤ把持アームの先端部の斜視図である。
【００１９】
活線警報器１は全体を概観した形状がクリップ状で、支点を形成しているピン２を回動中心として、一対のワイヤ把持アーム３ａ、３ｂと柄アーム４ａ、４ｂが連動して回動するように形成されている。ワイヤ把持アーム３ａ、３ｂと柄アーム４ａ、４ｂとは一体物で形成されており、この一体物の一対がピン２を回動中心として交差するように組合わされている。また、柄アーム４ａ、４ｂのピン２の側には貫通孔５ａ、５ｂを貫通したばね６が設けられており、このばね６の先端は、ワイヤ把持アーム３ａ、３ｂの凹部７ａ、７ｂに係止している。
【００２０】
図２に示すように、２個の検出ユニット１３は同じ構成で、アンテナ１４と回路基板（不図示）に実装された回路素子である増幅器１５、比較回路１６、感度調整回路１７、ＣＰＵ１８およびＬＥＤ点滅回路１９、さらに、電池２１等で構成されている。すなわち、アンテナ１４からの出力は、２系統の検出ユニット１３により検出している。
【００２１】
アンテナ１４は、柔軟性を有する細い線材や、一定幅の銅箔板もしくはアルミ箔板等で形成され、ワイヤ把持アーム３ａ、３ｂがワイヤを把持した際に、ワイヤの伸延方向に広がって配置されている。
【００２２】
増幅器１５は、アンテナ１４が高圧活線等のワイヤをワイヤ把持アーム３ａ、３ｂが把持したことによる接近により、アンテナ１４に発生する誘導起電圧を増幅する回路である。また、増幅器１５には比較回路１６が接続されている。
【００２３】
比較回路１６は、高圧活線等にアンテナ１４が接近することにより、アンテナ１４に誘導された誘導起電圧が増幅器１５で増幅された電圧を、設定電圧値と比較するものである。この比較回路１６により増幅器１５の出力信号が所定の電圧値を越えたことが判明した場合に、その出力信号は、パルス信号に変換される。そして、このパルス信号は、制御回路であるＣＰＵ１８に送られる。
【００２４】
ＣＰＵ１８は、パルス信号の周波数を判別し、周波数が所定周波数、例えば６０Ｈｚまたは５０Ｈｚに合致したときには、アンテナ１４が高圧活線等に接近したものと判断し、ＬＥＤ点滅回路１９への入力信号を生成する。
【００２５】
ＬＥＤ点滅回路１９は、パルス発生回路でパルス信号を後述する高輝度ＬＥＤ２２へ入力する。
【００２６】
また、感度調整回路１７は比較回路１６に接続されており、それにより感度調整回路１７は、比較回路１６においての増幅器１５からの出力信号が比較される設定電圧値を設定する。この設定電圧値は、高輝度ＬＥＤ２２が点灯することとなるアンテナ１４に発生する誘導起電圧に関するデータにより調整して設定される。その調整は、調整ダイヤル（不図示）を操作することによりおこなうことができる。なお、感度調整回路１７は、比較回路１６に接続せずに、増幅器１５に接続して、増幅器１５の増幅率を設定するようにしてもよい。また、感度調整回路１７の調整による設定により、検出対象のワイヤが高電圧の場合や低電圧の場合等に対処することができる。
【００２７】
また、電源用の電池２１は、単４型を採用し動作時間の長時間化と、小型化の両立が図られている。
【００２８】
一方、各柄アーム４ａ、４ｂには、検出ユニット１３と電気的に配線されて接続された報知手段が設けられている。この報知手段は高輝度ＬＥＤ２２が用いられている。高輝度ＬＥＤ２２は、ＬＥＤ点滅回路１９からのパルス信号により、高輝度で点滅して作業者に当該ワイヤが活線であることを確実に報知する。
【００２９】
以上に説明したように、上述の実施の形態によれば、ワイヤ自体に着脱自在に取付けた検知手段により、取付け位置でのワイヤの状態を表示し、作業者等に報知するものなので、作業者の位置や姿勢等に拘わらず、常にワイヤの電気的な死活状態を判別することができる。
【００３０】
また、活線警報器の全体を着脱自在はクリップ状に形成したので、作業者が検知したいケーブル等に容易に取付け取外しができるので、作業者の作業現場の移動に柔軟に対応することができる。
【００３１】
また、２系統の検出手段によりワイヤの死活状態を検出しているので、検出手段の一方が不動作となった場合でも、残りの１台でワイヤの死活状態を検出することができるので、作業者に対して常に正確なワイヤの死活状態を報知することができる。
【００３２】
また、作業者への報知は、視認性を向上させるために高輝度ＬＥＤを点滅させているので、確実に報知することができる。
【００３３】
また、電源用電池は、単４型を採用し動作時間の長時間化と小型化の両立が図られている。
【００３４】
それらによって、常に対象となるワイヤについての電気の死活状態を確認することができ、作業者が間違って活線部に近づき、または触れての感電事故を未然に防止することができる。また、作業者が、停電で作業時していて不意に通電された様な場合でも、通電にすぐに気付くことができるので、感電事故等を未然に防止する事ができる。
【００３５】
【発明の効果】
本発明によれば、作業環境に拘わらず、高電圧でも低電圧でも確実にケーブルが、活線か死線かを作業者等に報知できる。
【図面の簡単な説明】
【図１】本発明の活線警報器の実施の形態の一例を示す外観図。
【図２】本発明の活線警報器の検出ユニットの構成図。
【符号の説明】
１…活線警報器、２…ピン、３ａ、３ｂ…ワイヤ把持アーム、４ａ、４ｂ…柄アーム、６…ばね、１２…ケース、１３…検出ユニット、１４…アンテナ、１５…増幅器、１６…比較回路、１７…感度調整回路、１８…ＣＰＵ、１９…ＬＥＤ点滅回路、２１…電池、２２…高輝度ＬＥＤ
【図１】
2005037200.tif 000003
【図２】
2005037200.tif 000004